(57)【特許請求の範囲】
【請求項１】
内容液が収容されるとともに内容液を被塗布物に吐出する吐出孔を有する塗布容器と、
前記塗布容器に固定され、前記被塗布物を、前記被塗布物に対してスライド移動自在な状態で挟み込んで保持する保持部材と、を備え、
前記保持部材は、前記被塗布物において、前記吐出孔から内容液が吐出される吐出面に配置される第１保持部材と、前記被塗布物における前記吐出面と反対側の反吐出面に配置され、前記第１保持部材との間に前記被塗布物を挟み込む第２保持部材と、を備え、
前記第１保持部材は、前記塗布容器に直接的に固定され、
前記第２保持部材は、前記第１保持部材との間に前記被塗布物を挟んだ状態で前記第１保持部材に着脱自在に結合され、前記塗布容器に前記第１保持部材を介して間接的に固定されることを特徴とする塗布具。
【請求項２】
前記第１保持部材および前記第２保持部材が、磁力に基づいて結合される請求項１に記載の塗布具。
【請求項３】
前記吐出孔と前記第１保持部材との間に配置され、前記吐出面を押圧する押圧部材を更に備えることを特徴とする請求項１または２に記載の塗布具。
【請求項４】
前記第２保持部材は、前記被塗布物を間に挟んで前記押圧部材の反対側に配置される収容空間を備え、
前記収容空間には、前記反吐出面に当接する当接部材が収容されることを特徴とする請求項３に記載の塗布具。
【発明の詳細な説明】
【技術分野】
【０００１】
本発明は、被塗布物に内容液を塗布する塗布具に関する。
【背景技術】
【０００２】
この種の塗布具として、例えば下記特許文献１に記載の構成が知られている。
【先行技術文献】
【特許文献】
【０００３】
【特許文献１】特開２００７−１６８８８５号公報
【発明の概要】
【発明が解決しようとする課題】
【０００４】
しかしながら、前記従来の塗布具では、被塗布物において所望する特定位置に精度良く内容液を塗布することが難しい。
【０００５】
本発明は、前述した事情に鑑みてなされたものであって、被塗布物の特定位置に精度良く内容液を塗布することができる塗布具を提供することを目的とする。
【課題を解決するための手段】
【０００６】
前記課題を解決するために、本発明は以下の手段を提案している。
本発明に係る塗布具は、内容液が収容されるとともに内容液を被塗布物に吐出する吐出孔を有する塗布容器と、前記塗布容器に固定され、前記被塗布物を、前記被塗布物に対してスライド移動自在な状態で挟み込んで保持する保持部材と、を備え、前記保持部材は、前記被塗布物において、前記吐出孔から内容液が吐出される吐出面に配置される第１保持部材と、前記被塗布物における前記吐出面と反対側の反吐出面に配置され、前記第１保持部材との間に前記被塗布物を挟み込む第２保持部材と、を備え、前記第１保持部材は、前記塗布容器に直接的に固定され、前記第２保持部材は、前記第１保持部材との間に前記被塗布物を挟んだ状態で前記第１保持部材に着脱自在に結合され、前記塗布容器に前記第１保持部材を介して間接的に固定されることを特徴とする。前記第１保持部材および前記第２保持部材が、磁力に基づいて結合されてもよい。
【０００７】
この発明によれば、被塗布物に内容液を塗布するときには、まず、塗布容器を被塗布物に位置決めする。この塗布具では、保持部材が塗布容器に固定されるので、保持部材に被塗布物を挟み込ませて保持させることで、塗布容器を被塗布物に対して精度良く位置決めすることができる。その後、内容液を吐出孔から被塗布物に吐出するとともに、保持部材に被塗布物を保持させたまま塗布具の全体を被塗布物に対してスライド移動させ、内容液を被塗布物に塗布する。
以上のように、この塗布具によれば、吐出孔を被塗布物に対して精度良く位置決めした後、塗布容器を被塗布物に対してスライド移動させることで、内容液を被塗布物に塗布することができる。したがって、被塗布物の特定位置に精度良く内容液を塗布することができる。
【０００９】
この場合、第１保持部材が塗布容器に第２保持部材を介さずに直接的に固定される。したがって、塗布容器を被塗布物に対して位置決めするときに、塗布容器を被塗布物に対して第１保持部材と一体に位置決めすることができる。これにより、塗布容器を被塗布物に対して精度良く位置決めした状態で、保持部材によって被塗布物を保持し易くすることが可能になり、被塗布物の特定位置に一層精度良く内容液を塗布することができる。
【００１１】
この場合、第２保持部材が、第１保持部材との間に被塗布物を挟んだ状態で第１保持部材に着脱自在に結合され、塗布容器に第１保持部材を介して間接的に固定される。したがって、保持部材によって被塗布物を保持するときに、例えば、被塗布物の吐出面に第１保持部材および塗布容器を配置した状態で、被塗布物の反吐出面に第２保持部材を別途配置することで、第１保持部材と第２保持部材との間で被塗布物を挟み込むことができる。これにより、塗布具の操作性を向上させるとともに塗布具を適用する被塗布物の自由度を高め、例えば、塗布具を衣服の袖など筒状の被塗布物にも適用し易くすることができる。なお、被塗布物としての衣服の袖において、袖口から大きく離れた袖の奥まった部分に内容液を塗布する場合であっても、この塗布具によれば容易に塗布可能であり、この塗布具の使い勝手の良さが特に効果的に発揮される。
【００１２】
前記吐出孔と前記第１保持部材との間に配置され、前記吐出面を押圧する押圧部材を更に備えてもよい。
【００１３】
この場合、塗布具が押圧部材を更に備えている。したがって、吐出孔から吐出された内容液を押圧部材により被塗布物に塗り広げることができる。これにより、被塗布物の特定位置に効果的に内容液を塗布することができる。
なお被塗布物として、内容液が含浸容易な材質（例えば、衣服などの布）を採用した場合、押圧部材により被塗布物を押圧することで、内容液を被塗布物に効果的に含浸させることができる。
【００１４】
前記第２保持部材は、前記被塗布物を間に挟んで前記押圧部材の反対側に配置される収容空間を備え、前記収容空間には、前記反吐出面に当接する当接部材が収容されてもよい。
【００１５】
この場合、収容空間に当接部材が収容される。したがって、被塗布物の性状や塗布の用途に応じて最適な当接部材を適宜選択し、その当接部材を被塗布物の反吐出面に当接させることができる。これにより、吐出孔から吐出された内容液を、押圧部材を介して確実に被塗布物に塗り広げたり含浸させたりすることができる。その結果、例えば、被塗布物の特定位置に存在する汚れを当接部材に転移させること等ができる。
【発明の効果】
【００１６】
本発明によれば、被塗布物の特定位置に精度良く内容液を塗布することができる。
【図面の簡単な説明】
【００１７】
【図１】本発明の第１実施形態に係る塗布具を構成する塗布容器の縦断面図である。
【図２】本発明の第１実施形態に係る塗布具を示す縦断面図である。
【図３】本発明の第２実施形態に係る塗布具を構成する塗布容器の縦断面図である。
【図４】本発明の第２実施形態に係る塗布具を示す縦断面図である。
【図５】図４に示す塗布具を押下して内容液を吐出した状態を示す縦断面図である。
【図６】本発明の第３実施形態に係る塗布具を構成する塗布容器の要部を拡大した縦断面図である。
【図７】本発明の第３実施形態に係る塗布具を示す縦断面図である。
【図８】図７に示す塗布具を押下して内容液を吐出した状態を示す縦断面図である。
【発明を実施するための形態】
【００１８】
（第１実施形態）
以下、図１および図２を参照し、本発明の第１実施形態に係る塗布具２０を説明する。塗布具２０は、例えば、内容液としての洗剤を塗布することが可能であり、衣服などにおける部分的な汚れの洗浄（いわゆるしみ抜き）に好適に使用することができる。
本実施形態では、塗布具２０の説明にあたり、塗布具２０を構成する塗布容器１０をまず説明する。
【００１９】
図１に示すように、塗布容器１０には、内容液が収容される。塗布容器１０は、内容液を被塗布物Ａ（図２参照）に吐出する吐出孔１１を有する。塗布容器１０は、容器本体１２と、保持キャップ１３と、塗布ボール１４と、を備えている。塗布容器１０は、塗布ボール１４を介して容器本体１２内の内容液を被塗布物Ａに塗布するいわゆるロールオンタイプである。
【００２０】
ここで容器本体１２は、口部１２ａ、肩部１２ｂ、胴部１２ｃおよび底部１２ｄを有する有底筒状に形成されている。保持キャップ１３は、筒状に形成されている。容器本体１２および保持キャップ１３の中心軸線は共通軸上に配置されている。以下では、この共通軸を容器軸Ｏという。塗布容器１０を容器軸Ｏ方向から見た平面視において、容器軸Ｏに直交する方向を径方向といい、容器軸Ｏ回りに周回する方向を周方向という。塗布容器１０の説明において、容器軸Ｏ方向に沿った口部１２ａ側を上側といい、底部１２ｄ側を下側という。
【００２１】
保持キャップ１３は、容器本体１２の口部１２ａに装着される。保持キャップ１３は、塗布ボール１４を保持する保持筒部１５と、保持筒部１５の外周面から下方に向けて延び口部１２ａに装着される外筒部１６およびシール筒部１７と、を備えている。保持筒部１５の下端開口部は、容器本体１２内に連通する連通孔１８である。保持筒部１５の上端開口部は、前記吐出孔１１である。外筒部１６は、口部１２ａに径方向の外側から嵌合される。シール筒部１７は、口部１２ａ内に嵌合される。
【００２２】
塗布ボール１４は、保持筒部１５に回転自在に収容されている。塗布ボール１４は、吐出孔１１から上方に向けて突出している。塗布ボール１４が回転することで、連通孔１８を通過した内容液が塗布ボール１４の外周面を伝って被塗布物Ａに塗布される。
なお図示の例では、塗布容器１０には、吐出孔１１を開閉するオーバーキャップ１９が装着されている。オーバーキャップ１９は、容器本体１２に着脱自在に装着（螺着）される。
【００２３】
図２に示すように、塗布容器１０は、オーバーキャップ１９を離脱させるとともに上下を反転させた倒立姿勢で塗布具２０に適用される。塗布具２０全体の説明においては、容器軸Ｏ方向に沿った容器本体１２の底部１２ｄ側を上側といい、口部１２ａ側を下側という。
【００２４】
塗布具２０は、被塗布物Ａの吐出面Ａ１が上方を向き、被塗布物Ａの反吐出面Ａ２が下方を向く状態で好適に使用される。なお、衣服の部分的な汚れの洗浄に際しては、被塗布物Ａにおいて汚れが存在する表面を反吐出面Ａ２とし、裏面を吐出面Ａ１とする。これにより、後述する当接部材４０に汚れを転移させ易くすることができる。
【００２５】
塗布具２０は、被塗布物Ａの吐出面Ａ１に内容液を塗布する。塗布容器１０は、被塗布物Ａの吐出面Ａ１の上方に配置され、被塗布物Ａの吐出面Ａ１には、吐出孔１１からの内容液が吐出される。塗布具２０は、塗布容器１０と、保持部材２１と、押圧部材２２と、を備えている。
【００２６】
保持部材２１は、塗布容器１０に固定されている。保持部材２１は、被塗布物Ａを、被塗布物Ａに対してスライド移動自在な状態で挟み込んで保持する。保持部材２１は、互いの間に被塗布物Ａを挟み込む第１保持部材２３および第２保持部材２４を備えている。第１保持部材２３および第２保持部材２４は、被塗布物Ａを介して互いに着脱自在に結合されている。なお図示の例では、第１保持部材２３および第２保持部材２４が、磁力に基づいて結合（磁着）されている。
【００２７】
第１保持部材２３は、被塗布物Ａの吐出面Ａ１に配置され、第２保持部材２４は、被塗布物Ａの反吐出面Ａ２に配置される。第１保持部材２３は、塗布容器１０に第２保持部材２４を介さずに直接的に固定（直結）されている。第２保持部材２４は、塗布容器１０に第１保持部材２３を介して間接的に固定されている。第２保持部材２４は、第１保持部材２３との間に被塗布物Ａを挟んだ状態で第１保持部材２３に着脱自在に結合されている。
【００２８】
第１保持部材２３は、第１磁石ユニット２５と、外装筒部２６と、内筒部２７と、を備えている。
第１磁石ユニット２５は、容器軸Ｏと同軸の環状に形成されている。第１磁石ユニット２５の内部は、塗布容器１０の吐出孔１１が開口する塗布空間２８とされている。第１磁石ユニット２５は、環状の第１磁石２９と、第１磁石２９を全域にわたって覆う第１カバー３０と、を備えている。第１カバー３０は、容器軸Ｏ方向に沿って２分割された一対の第１分割体３１が互いに組み付けられたなる。
【００２９】
外装筒部２６は、第１磁石ユニット２５から上方に向けて延びている。外装筒部２６は、容器本体１２に外装されている。外装筒部２６の上端部は、容器本体１２の底部１２ｄよりも下方に位置している。
内筒部２７は、外装筒部２６内に配置され、容器本体１２の口部１２ａに装着（螺着）されている。内筒部２７は、外装筒部２６の下端部内に配置されている。
【００３０】
内筒部２７の上端部は、外装筒部２６の内周面に接続部３２を介して接続されている。接続部３２は、内筒部２７から径方向の外側に突出する環状に形成されている。接続部３２は、径方向の内側から外側に向かうに従い漸次、上側に向けて延びている。内筒部２７の外周面と外装筒部２６の内周面との間には、環状の装着空間３３が設けられている。装着空間３３は、容器軸Ｏと同軸に配置されている。装着空間３３は、接続部３２により上方から閉塞されている。
【００３１】
第２保持部材２４は、第２磁石ユニット３４と、閉塞部３５と、を備えている。
第２磁石ユニット３４は、容器軸Ｏと同軸の環状に形成されている。第２磁石ユニット３４の内部は、当接部材４０が収容される収容空間３６とされている。当接部材４０は、被塗布物Ａの反吐出面Ａ２に当接する。当接部材４０としては、例えば当て布などを採用することができる。
【００３２】
第２磁石ユニット３４は、環状の第２磁石３７と、第２磁石３７を全域にわたって覆う第２カバー３８と、を備えている。第２カバー３８は、容器軸Ｏ方向に沿って２分割された一対の第２分割体３９が互いに組み付けられてなる。
閉塞部３５は、収容空間３６を下方から閉塞し、当接部材４０を支持する。閉塞部３５は、表裏面が容器軸Ｏ方向を向く板状に形成されている。
【００３３】
押圧部材２２は、被塗布物Ａの吐出面Ａ１を押圧する。押圧部材２２は、塗布具２０を容器軸Ｏ方向から見た平面視において、吐出孔１１と第１保持部材２３との間に配置されている。図示の例では、押圧部材２２が、前記平面視において、吐出孔１１を径方向の外側から全周にわたって覆っている。
【００３４】
押圧部材２２は、装着空間３３に装着され、塗布空間２８内に配置されている。押圧部材２２は、第１保持部材２３に直接的に固定され、塗布容器１０に第１保持部材２３を介して間接的に固定されている。押圧部材２２は、被塗布物Ａを間に挟んで収容空間３６（当接部材４０）の反対側に配置される。押圧部材２２は、装着筒部４１と、ベース板部４２と、押圧体４３と、を備えている。
【００３５】
装着筒部４１は、装着空間３３内に嵌合されている。ベース板部４２は、装着筒部４１と同軸の環状に形成されている。ベース板部４２の上面は、装着筒部４１の下端面に連結されている。押圧体４３は、塗布空間２８内に配置されている。押圧体４３は、ベース板部４２から下方に向けて延在している。押圧体４３の下端は、第１磁石ユニット２５の下端よりも下方に位置している。押圧体４３は、多数本のブラシにより構成されている。
【００３６】
なお図２、並びに後述する図４、図５、図７、図８では、押圧体４３（ブラシ）の下端が被塗布物Ａ内に進入した状態を模式的に図示している。しかしながら、実使用に際しては、押圧体４３を被塗布物Ａ上で弾性変形させ、押圧体４３の下端を被塗布物Ａの吐出面Ａ１に沿わせることが可能である。
【００３７】
前記塗布具２０を用いて被塗布物Ａに内容液を塗布するときには、まず、塗布容器１０を被塗布物Ａに位置決めする。この塗布具２０では、保持部材２１が塗布容器１０に固定されるので、保持部材２１に被塗布物Ａを挟み込ませて保持させることで、塗布容器１０を被塗布物Ａに対して精度良く位置決めすることができる。なお本実施形態では、第１保持部材２３および第２保持部材２４が被塗布物Ａを間に挟み込んだ状態で、塗布ボール１４および押圧体４３の両方が、被塗布物Ａに当接する。
【００３８】
その後、内容液を吐出孔１１から被塗布物Ａに吐出するとともに、保持部材２１に被塗布物Ａを保持させたまま塗布具２０の全体を被塗布物Ａに対してスライド移動させ、内容液を被塗布物Ａに塗布する。このとき、使用者は、例えば外装筒部２６を把持し、第１保持部材２３を介して塗布容器１０（塗布具２０の全体）を被塗布物Ａに対してスライド移動させる。これにより、塗布ボール１４が保持キャップ１３内で回転し、容器本体１２内の内容液が塗布ボール１４の外周面を介して被塗布物Ａに塗布される。また、被塗布物Ａに塗布された内容液は、押圧部材２２により被塗布物Ａに塗り広げられるとともに含浸される。
【００３９】
以上説明したように、本実施形態に係る塗布具２０によれば、吐出孔１１を被塗布物Ａに対して精度良く位置決めした後、塗布容器１０を被塗布物Ａに対してスライド移動させることで、内容液を被塗布物Ａに塗布することができる。したがって、被塗布物Ａの特定位置に精度良く内容液を塗布することができる。
【００４０】
また、第１保持部材２３が塗布容器１０に第２保持部材２４を介さずに直接的に固定される。したがって、塗布容器１０を被塗布物Ａに対して位置決めするときに、塗布容器１０を被塗布物Ａに対して第１保持部材２３と一体に位置決めすることができる。これにより、塗布容器１０を被塗布物Ａに対して精度良く位置決めした状態で、保持部材２１によって被塗布物Ａを保持し易くすることが可能になり、被塗布物Ａの特定位置に一層精度良く内容液を塗布することができる。
【００４１】
さらに、第２保持部材２４が、第１保持部材２３との間に被塗布物Ａを挟んだ状態で第１保持部材２３に着脱自在に結合され、塗布容器１０に第１保持部材２３を介して間接的に固定される。したがって、保持部材２１によって被塗布物Ａを保持するときに、例えば、被塗布物Ａの吐出面Ａ１に第１保持部材２３および塗布容器１０を配置した状態で、被塗布物Ａの反吐出面Ａ２に第２保持部材２４を別途配置することで、第１保持部材２３と第２保持部材２４との間で被塗布物Ａを挟み込むことができる。これにより、塗布具２０の操作性を向上させるとともに塗布具２０を適用する被塗布物Ａの自由度を高め、例えば、塗布具２０を衣服の袖など筒状の被塗布物Ａにも適用し易くすることができる。なお、被塗布物Ａとしての衣服の袖において、袖口から大きく離れた袖の奥まった部分に内容液を塗布する場合であっても、この塗布具２０によれば容易に塗布可能であり、この塗布具２０の使い勝手の良さが特に効果的に発揮される。
【００４２】
また、塗布具２０が押圧部材２２を更に備えている。したがって、吐出孔１１から吐出された内容液を押圧部材２２により被塗布物Ａに塗り広げることができる。これにより、被塗布物Ａの特定位置に効果的に内容液を塗布することができる。
なお被塗布物Ａとして、内容液が含浸容易な材質（例えば、衣服などの布）を採用した場合、押圧部材２２により被塗布物Ａを押圧することで、内容液を被塗布物Ａに効果的に含浸させることができる。
【００４３】
さらに、収容空間３６に当接部材４０が収容される。したがって、被塗布物Ａの性状や塗布の用途に応じて最適な当接部材４０を適宜選択し、その当接部材４０を被塗布物Ａの反吐出面Ａ２に当接させることができる。これにより、吐出孔１１から吐出された内容液を、押圧部材２２を介して確実に被塗布物Ａに塗り広げたり含浸させたりすることができる。その結果、例えば、被塗布物Ａの特定位置に存在する汚れを当接部材４０に転移させること等ができる。
【００４４】
（第２実施形態）
次に、本発明に係る第２実施形態の塗布具７０を、図３から図５を参照して説明する。
なお、この第２実施形態においては、第１実施形態における構成要素と同一の部分については同一の符号を付し、その説明を省略し、異なる点についてのみ説明する。
【００４５】
図３に示すように、本実施形態に係る塗布具７０を構成する塗布容器５０は、保持キャップ１３および塗布ボール１４に代えて、吐出器５１を備えており、いわゆるスプレータイプである。
吐出器５１は、装着キャップ５２と、シリンダ５３と、ステム５４と、弁体５５と、第１付勢部材５６と、吐出ヘッド５７と、プランジャ５８と、吸込みユニット５９と、を備えている。装着キャップ５２、シリンダ５３、ステム５４、弁体５５、吐出ヘッド５７およびプランジャ５８は、容器軸Ｏと同軸に配置されている。
【００４６】
装着キャップ５２は、容器本体１２の口部１２ａに装着されている。装着キャップ５２は、口部１２ａに径方向の外側から螺着されている。
シリンダ５３は、口部１２ａ内に挿通され、口部１２ａから下方に向けて延びている。シリンダ５３の上端部は、装着キャップ５２に接続されている。シリンダ５３の下端部内には、逆止弁６０が設けられている。逆止弁６０は、容器本体１２内からシリンダ５３内への内容液の流入を許容し、シリンダ５３内から容器本体１２内への内容液の流出を規制する。
【００４７】
ステム５４は、容器本体１２の口部１２ａに、上方付勢状態で下方移動可能に立設されている。ステム５４は、シリンダ５３内から上方に向けて延びている。ステム５４の下端部は、シリンダ５３内に密に嵌合しており、シリンダ５３内を容器軸Ｏ方向に摺動自在とされている。ステム５４の上端部は、シリンダ５３から上方に突出している。
【００４８】
弁体５５は、容器軸Ｏ方向に延びステム５４内に挿通される棒状に形成されている。弁体５５の上端部は、ステム５４よりも上方に位置している。弁体５５の下端部は、逆止弁６０と容器軸Ｏ方向に対向している。弁体５５における容器軸Ｏ方向の中央部は、ばね座部６１を介してステム５４と接続されている。ばね座部６１は、周方向に間隔をあけて複数配置されている。
【００４９】
第１付勢部材５６は、ステム５４を上方に付勢する。第１付勢部材５６は、ばね座部６１と、ステム５４の下端部と、の間に配設されており、ばね座部６１を介してステム５４を上方に付勢する。第１付勢部材５６の上端部は、ばね座部６１の下面に当接し、第１付勢部材５６の下端部は、ステム５４の内周面に当接する。
【００５０】
吐出ヘッド５７は、前記吐出孔１１を有する。吐出ヘッド５７は、有頂筒状に形成されたヘッド本体６２と、ヘッド本体６２に装着されるとともに吐出孔１１が形成されたノズルチップ６３と、を備えている。ヘッド本体６２の周壁部６４は、内周壁６５および外周壁６６を有する二重筒状に形成されている。
【００５１】
内周壁６５内には、ステム５４の上端部が密に嵌合している。ステム５４の上端部は、内周壁６５内を容器軸Ｏ方向に摺動自在とされている。ヘッド本体６２の頂壁部には、前記連通孔１８が形成されている。連通孔１８は、容器軸Ｏと同軸に配置され、内周壁６５よりも小径とされている。連通孔１８は、ステム５４の内周面と弁体５５の外周面との間を通してシリンダ５３内に連通している。連通孔１８は、ノズルチップ６３内を通して吐出孔１１に連通している。連通孔１８は、シリンダ５３内と吐出孔１１とを連通している。
【００５２】
プランジャ５８は、ステム５４に外装されている。プランジャ５８の上端部は、内周壁６５と外周壁６６との間に嵌合されている。プランジャ５８の下端部は、シリンダ５３の上端部内に密に嵌合しており、シリンダ５３内を容器軸Ｏ方向に摺動自在とされている。
【００５３】
吸込みユニット５９は、容器本体１２内の内容液をシリンダ５３の下端部内に吸い込む。吸込みユニット５９は、容器本体１２が倒立姿勢のときに内容液を吸い込む。吸込みユニット５９は、容器軸Ｏ方向に延びる第１筒部６７および第２筒部６８を備えている。
第１筒部６７の上端部は、シリンダ５３の下端部に装着されている。第２筒部６８は、第１筒部６７に対して径方向にずらされている。第１筒部６７および第２筒部６８の各下端部は、互いに接続されている。第２筒部６８は、容器本体１２内と第１筒部６７内とを連通する。第２筒部６８の上端部は、容器本体１２の口部１２ａ内に挿入されている。
【００５４】
図４に示すように、前記塗布容器５０を適用した本実施形態に係る塗布具７０では、容器本体１２の胴部１２ｃが、外装筒部２６の上端部に上下動自在に嵌合されている。内筒部２７の内周面には、吐出ヘッド５７（塗布容器５０）を下方から支持する規制リブ７２が設けられている。規制リブ７２は、容器軸Ｏ方向に延びる凸リブであり、周方向に間隔をあけて複数設けられている。複数の規制リブ７２の各上端部は、吐出ヘッド５７に下方から当接する。
【００５５】
前記塗布具７０では、第１保持部材２３および第２保持部材２４が被塗布物Ａを間に挟み込んだ状態で、押圧部材２２が被塗布物Ａに当接する一方、吐出孔１１は被塗布物Ａから容器軸Ｏ方向に離間している。図５に示すように、使用者が容器本体１２の胴部１２ｃを、第１付勢部材５６の付勢力に抗して下方に向けて押し込むと、容器本体１２が外装筒部２６および吐出ヘッド５７に対して下降し、ステム５４がシリンダ５３内を容器軸Ｏ方向に摺動する。このとき、逆止弁６０がシリンダ５３内から容器本体１２内への内容液の流出を規制し、シリンダ５３内の液圧が上昇するとともに弁体５５が連通孔１８を開放する。すると、シリンダ５３内の内容液が連通孔１８を通して吐出孔１１から被塗布物Ａに向けて吐出される。このとき、シリンダ５３内の内容液を前述のように加圧することで、内容液を例えば霧状にして噴出することが可能である。
【００５６】
内容液を吐出した後、使用者が容器本体１２の押し込みを解除すると、第１付勢部材５６の弾性復元力により、容器本体１２が上方に向けて復元移動する。このとき、弁体５５が連通孔１８を閉塞し、かつ、シリンダ５３が上昇しながらステム５４がシリンダ５３内を容器軸Ｏ方向に摺動する。その結果、シリンダ５３内に負圧が生じ、容器本体１２内の内容液が吸込みユニット５９を通してシリンダ５３内に吸い込まれる。またこのとき、容器本体１２内には、吐出器５１に形成される外気導入路を通して外気が吸入され、容器本体１２内の減容変形が抑えられる。
【００５７】
その後、使用者は、例えば容器本体１２の胴部１２ｃや外装筒部２６などを把持し、塗布具７０全体を被塗布物Ａに対してスライド移動させる。これにより、被塗布物Ａに吐出された内容液が、押圧部材２２により被塗布物Ａに塗り広げられる。
【００５８】
（第３実施形態）
次に、本発明に係る第３実施形態の塗布具９０を、図６から図８を参照して説明する。
なお、この第３実施形態においては、第１実施形態における構成要素と同一の部分については同一の符号を付し、その説明を省略し、異なる点についてのみ説明する。
【００５９】
図６に示すように、本実施形態に係る塗布具９０を構成する塗布容器８０は、保持キャップ１３および塗布ボール１４に代えて、吐出部材８１と、中栓部材８２と、を備えている。
【００６０】
吐出部材８１は、容器軸Ｏと同軸に配置された筒状に形成され、容器本体１２の口部１２ａに装着されている。吐出部材８１の下端部は、口部１２ａ内に密に嵌合されている。吐出部材８１の上端部は、吐出部材８１における他の部分よりも縮径された縮径部８３となっている。縮径部８３の上端部は、前記吐出孔１１とされ、縮径部８３の下端部は、前記連通孔１８とされている。吐出部材８１の外周面には、鍔部８４が設けられている。鍔部８４は、口部１２ａの開口端縁上に配置されている。
【００６１】
中栓部材８２は、ベース筒部８５と、中栓本体８６と、第２付勢部材８７と、を備えている。
ベース筒部８５は、吐出部材８１の下端部内に嵌合されている。
中栓本体８６は、上方付勢状態で縮径部８３内に挿通されている。中栓本体８６の上端部は、吐出孔１１から上方に向けて出没自在に突出する出没部８８となっている。中栓本体８６の下端部には、連通孔１８を開閉する開閉弁８９が設けられている。開閉弁８９は、縮径部８３の下端面に下方から離反可能に当接する。
【００６２】
第２付勢部材８７は、ベース筒部８５と中栓本体８６との間に介装され、中栓本体８６を上方に付勢する。第２付勢部材８７は、例えば樹脂ばねにより形成され、ベース筒部８５および中栓本体８６と同一材料で一体に形成されている。
【００６３】
図７に示すように、前記塗布容器８０を適用した本実施形態に係る塗布具９０では、容器本体１２と第１保持部材２３との間に、第３付勢部材９１が設けられている。
第３付勢部材９１は、容器本体１２を下方から弾性的に支持している。第３付勢部材９１は、容器本体１２を第１保持部材２３に対して上方に付勢する。第３付勢部材９１は、容器本体１２の口部１２ａに外装された環状に形成されている。第３付勢部材９１は、内筒部２７と容器本体１２の肩部１２ｂとの間に介装されている。
【００６４】
内筒部２７の内周面には、前記第２実施形態に係る塗布具７０と同様に、規制リブ７２が設けられている。規制リブ７２は、吐出部材８１の鍔部８４に容器軸Ｏ方向に対向している。規制リブ７２と鍔部８４とは、容器軸Ｏ方向に離間している。
【００６５】
前記塗布具９０では、第１保持部材２３および第２保持部材２４が被塗布物Ａを間に挟み込んだ状態で、押圧部材２２が被塗布物Ａに当接する一方、吐出孔１１は被塗布物Ａから容器軸Ｏ方向に離間している。図８に示すように、使用者が容器本体１２の胴部１２ｃを、第２付勢部材８７の付勢力に抗して下方に向けて押し込むと、容器本体１２が外装筒部２６に対して下降し、中栓本体８６の出没部８８が被塗布物Ａに当接する。
【００６６】
使用者が容器本体１２を更に押し込むと、中栓本体８６の容器軸Ｏ方向の移動が被塗布物Ａによって規制された状態で容器本体１２が更に下降する。これにより、連通孔１８が開放され、容器本体１２内の内容液が連通孔１８を通して吐出孔１１から被塗布物Ａに吐出（滴下）される。なおこのとき、容器本体１２内には吐出孔１１を通して外気が吸入され、容器本体１２内の減容変形が抑えられる。
【００６７】
内容液を吐出した後、使用者が容器本体１２の押し込みを解除すると、第２付勢部材８７の弾性復元力により、中栓本体８６が下方に向けて復元移動して連通孔１８を閉塞する。また、第３付勢部材９１の弾性復元力により、容器本体１２が上方に向けて復元移動する。
その後、使用者は、例えば容器本体１２の胴部１２ｃや外装筒部２６などを把持し、塗布具９０全体を被塗布物Ａに対してスライド移動させる。これにより、被塗布物Ａに吐出された内容液が、押圧部材２２により被塗布物Ａに塗り広げられる。
【００６８】
なお、本発明の技術的範囲は前記実施形態に限定されるものではなく、本発明の趣旨を逸脱しない範囲において種々の変更を加えることが可能である。
【００６９】
前記実施形態では、第２磁石ユニット３４が環状に形成されているが、本発明はこれに限られない。例えば、第２磁石ユニット３４を、棒状をなす一対の磁石部材により形成することも可能である。この場合、前記一対の磁石部材を、間隔をあけて並設させた状態で配置するとともに閉塞部３５で連結し、これら一対の磁石部材間を収容空間３６とすることができる。この構成によれば、収容空間３６が、各磁石部材が延びる方向の両側に開口していることから、例えば当接部材４０を前記延びる方向に収容空間３６よりも長く形成し、収容空間３６から当接部材４０を前記延びる方向にはみ出させておくことができる。これにより、例えば、内容液を被塗布物Ａに塗布することで、被塗布物Ａから当接部材４０に汚れが転移されたとしても、当接部材４０を前記延びる方向に移動させ、被塗布物Ａの反吐出面Ａ２に、汚れが転移されていない清浄な状態の当接部材４０を容易に当接させることができる。
【００７０】
収容空間３６や当接部材４０、押圧部材２２、オーバーキャップ１９がなくてもよい。
【００７１】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００７２】
１０、５０、８０       塗布容器
１１   吐出孔
２０、７０、９０       塗布具
２１   保持部材
２２   押圧部材
２３   第１保持部材
２４   第２保持部材
３６   収容空間
４０   当接部材
Ａ     被塗布物
Ａ１   吐出面
Ａ２   反吐出面
【図１】
0006626740.tif 000002
【図２】
0006626740.tif 000003
【図３】
0006626740.tif 000004
【図４】
0006626740.tif 000005
【図５】
0006626740.tif 000006
【図６】
0006626740.tif 000007
【図７】
0006626740.tif 000008
【図８】
0006626740.tif 000009